(57)【要約】【課題】遊技機の窓を大きくする。【解決手段】ガラス装置１１の１枚のガラス板１５；１６の周縁部を支持するフレーム１７に、出入口２５と、ガラス装置１１に対するサブユニットとして構成された演出装置１９とが設けられたことにより、ガラス装置１１と演出装置１９との間の隙間を設ける必要がなく、前扉５に形成される窓７を大きくすることができ、演出装置１９の駆動源２１の出力部材が一方向に回転するのに伴い、表示部材２０がフレーム１７よりも外側からフレーム１７に設けられた出入口を経由して２枚のガラスの間の空間１８に入り、駆動源２１の出力部材が他方向に回転するのに伴い、表示部材２０が空間１８から上記出入口を経由してフレーム１７よりも外側に出るようになっている。【選択図】図１
2013150706.tif 000002
【特許請求の範囲】
【請求項１】
遊技機の前面の前扉に設けられた窓を塞ぐように当該前扉に設けられる２枚の透明なガラス板の周縁部をフレームで縁取りするように支持して２枚のガラス板とフレームとで囲まれた空間を形成してなるガラス装置において、フレームには、出入口と、表示部材を駆動源で上記出入口を経由してフレームよりも外側と空間とに出入り可能に作動する演出装置とが設けられたことを特徴とする遊技機のガラス装置。
【請求項２】
演出装置がガラス装置に対するサブユニットとして構成され、この演出装置がフレームに着脱可能に取り付けられることを特徴とする請求項１記載の遊技機のガラス装置。
【発明の詳細な説明】
【技術分野】
【０００１】
本発明は、遊技機のガラス装置に関する。
【背景技術】
【０００２】
特許文献１の段落００２０と図８及び図５には、２枚のガラス板の間の空間に出入り可能な演出装置を備えたパチンコ遊技機が記載されている。この特許文献１に示された演出装置は、駆動機構のモーターのような駆動源の作動で出力部材が駆動することに伴い、表示部材がガラス装置の２枚のガラス板の間の空間に出たり入ったりするよう出入り可能になっている。しかしながら、ガラス装置と演出装置とが遊技機枠に別々に設けられた構造であるので、窓を大きく形成することができないという欠点がある。
【先行技術文献】
【特許文献】
【０００３】
【特許文献１】特開２００６−６５４４号公報
【発明の概要】
【発明が解決しようとする課題】
【０００４】
本発明は、上記背景技術に鑑みてなされたものであり、遊技機の前扉に設けられる窓を大きくできる遊技機のガラス装置を提供することを目的とする。
【課題を解決するための手段】
【０００５】
本発明は、遊技機の前面の前扉に設けられた窓を塞ぐように当該前扉に設けられる２枚の透明なガラス板の周縁部をフレームで縁取りするように支持して２枚のガラス板とフレームとで囲まれた空間を形成してなるガラス装置において、フレームには、出入口と、表示部材を駆動源で上記出入口を経由してフレームよりも外側と空間とに出入り可能に作動する演出装置とが設けられたことを特徴とする。
【発明の効果】
【０００６】
本発明は、演出装置がガラス装置の２枚の透明なガラス板の周縁部を支持するフレームに設けられたことにより、ガラス装置と演出装置とを前扉に別々に設けた構造に比べ、ガラス装置と演出装置との間の隙間を設ける必要がなく、前扉に形成される窓を大きくすることができるうえ、ガラス装置が前扉に取り付けられることで、演出装置も前扉に装着できるという効果を奏する。本発明にあっては、ガラス装置に対するサブユニットとして構成された演出装置がフレームに着脱可能に取り付けられれば、演出装置を演出表示部品に合わせた造形のものに交換することができるという効果を奏する。
【図面の簡単な説明】
【０００７】
【図１】実施の形態１に係るパチンコ遊技機を示す分解斜視図。
【図２】実施の形態１に係る前ガラス装置を示す斜視図。
【図３】実施の形態１に係るパチンコ遊技機を示す正面図。
【図４】図３に示すＡ−Ａ線断面図。
【図５】実施の形態２に係る前ガラス装置を示す分解斜視図。
【発明を実施するための形態】
【０００８】
本明細書における「前」、「後」、「左」、「右」、「上」、「下」の方向は、図１の状態に遊技機枠１を置いて矢印Ｓで示す前側から見た場合に特定される方向である。
【０００９】
「実施の形態１」
図１を参照し、実施の形態１に係る遊技機についてパチンコ遊技機を例示して説明する。パチンコ遊技機の遊技機枠１は、外枠２に前枠３をヒンジ４で開閉可能に連結し、前枠３に前扉５を図外のヒンジで開閉可能に連結した構成である。前枠３には、球発射機構６、図外の球払出機構が設けられる。前扉５には、窓７、球受皿８、発射操作機構９、扉側取付部１０、ガラス装置１１が設けられる。扉側取付部１０としては、前扉５に設けられた支柱１３にロック片１４を回動可能に取り付けた構成を例示したが、これに限定されるものではなく、ガラス装置１１を前扉５に着脱可能に取り付けることの可能な構造であればよい。このガラス装置１１を前扉５に着脱可能に取り付けることの可能な構造としては、ビスを用いる構造やガラス装置１１を回転する構造等が考えられる。
【００１０】
ガラス装置１１は、前後に離して対峙した２枚の透明なガラス板１５：１６の周縁部をフレーム１７で縁取りするように支持して２枚のガラス板１５：１６とフレーム１７とで囲まれた空間１８を形成した構造であると共にフレーム１７に演出装置１９を設けた構造である。演出装置１９がフレーム１７に設けられたことにより、ガラス装置１１と演出装置１９とを前扉５に別々に設けた構造に比べ、ガラス装置１１と演出装置１９との間の隙間を設ける必要がなく、窓７を大きくすることができるうえ、ガラス装置１１が前扉５に取り付けられることで、演出装置１９も前扉５に装着できる。
【００１１】
演出装置１９は、ガラス装置１１に対するサブユニットとして構成され、表示部材２０を駆動源２１で図２に示す出入口２５を経由してフレーム１７よりも外側と空間１８とに出入り可能に作動するようになっている。又、図１に示すように、フレーム１７には、ガラス装置１１を前扉５に着脱可能に取り付けるためのガラス側取付部２２が設けられる。ガラス側取付部２２は、複数個に分かれた造形に限定されるものでなく、一体の造形でもよい。
【００１２】
図２を参照し、実施の形態１に係る演出装置１９について詳述する。演出装置１９のユニットベース２３が、フレーム１７に設けられ、フレーム１７の直径方向外側に突出した造形になっている。ユニットベース２３は、ガラス側取付部２２から分かれた造形であってもガラス側取付部２２と一体になった造形であってもよい。演出装置１９の駆動源２１は、ユニットベース２３の裏面に設置されたギヤードモーターにより構成される。ギヤードモーターは直流モーターとギヤ式減速機とを一体化した機器である。駆動源２１の出力部材２４は、ギヤードモーターにおけるギヤ式減速機の出力端側の軸により構成される。出力部材２４のユニットベース２３を貫通して前方に突出した部分には、表示部材２０が出力部材２４を回転中心として出力部材２４と一緒に回転されるように固定される。表示部材２０が交換可能なように出力部材２４に着脱可能に固定されていてもよい。演出装置１９の表示部材２０及び駆動源２１は、２個に限定されるものではなく、１個又は３個以上であってもよい。又、ユニットベース２３は、１個に限定されるものではなく、駆動源２１と同じ個数であってもよい。フレーム１７には、表示部材２０をフレーム１７よりも外側と空間１８とに出入りさせるための出入口２５が設けられる。
【００１３】
そして、駆動源２１の出力部材２４がギヤ式減速機の出力端側の軸の円周に沿って一方向に回転するのに伴い、表示部材２０がフレーム１７よりも外側から出入口２５を経由して２枚のガラスの間の空間１８に入り、駆動源２１の出力部材２４がギヤ式減速機の出力端側の軸の円周に沿って他方向に回転するのに伴い、表示部材２０が空間１８から出入口２５を経由して出てフレーム１７よりも外側に出る。つまり、表示部材２０が駆動源２１で出入口２５を経由してフレーム１７よりも外側と空間１８とに出入り可能に作動するようになっている。この表示部材２０のフレーム１７よりも外側と空間１８とへの出入りの運動範囲は、出力部材２４の一方向と他方向との回転による運動範囲で規制される。上記空間１８に入った表示部材２０は図２と図３及び図４に仮想線で示されており、上記フレーム１７よりも外側に出た表示部材２０は図２と図４とに実線で示されていると共に図３に点線で示されている。
【００１４】
尚、駆動源２１に電力を供給する図外の駆動回路は、ギヤードモーターの直流モーターに直流の電力を供給する駆動回路として構成されており、駆動源２１の出力部材２４の回転方向を一方向と他方向とに切り替えるように直流の電力の経路を切り替える図外のスイッチ回路を備える。この図外の駆動回路は、遊技機枠１又はユニットベース２３又は遊技盤３０に取り付けられる。
【００１５】
駆動源２１は、ギヤードモーター以外のモーター又は電磁ソレノイドを用いてもよい。ギヤードモーター以外のモーターの場合、ギヤ式減速機又は回転運動を直線運動に変換する機構を用いてもよい。電磁ソレノイドの場合、電磁ソレノイドの直線運動を行う出力部材としてのプランジャに表示部材２０を固定して表示部材２０を電磁ソレノイドで直線的に往復運動するように構成してもよく、プランジャと表示部材２０とを直線運動を回転運動に変換する機構で連結して表示部材２０を電磁ソレノイドで回転的に往復運動するように構成してもよい。上記表示部材２０を電磁ソレノイドで回転的に往復運動する構成とは、ピニオンギヤとトラックギヤとから構成する場合、ネジ棒とナットとから構成する場合、又は、表示部材２０が例えば図２に示す出力部材２４に相当する軸を回転中心としてフレーム１７の外側と空間１８とに出入り可能に回転するようにフレーム１７に対して設置され、この表示部材２０に電磁ソレノイドのプランジャを連結する場合等が考えられる。
【００１６】
又、ユニットベース２３には図外のセンサーを設け、このセンサーがユニットベース２３の前側に対向する表示部材２０を検出した信号を駆動回路の制御装置に出力し、この制御装置が上記センサーからユニットベース２３の前側に対向する表示部材２０を検出した信号に基づいて停止信号を駆動回路に出力するように構成すれば、表示部材２０の停止位置が正確になる。
【００１７】
図１に戻り、ガラス装置１１は、前扉５に次のように取り付けられる。扉側取付部１０のロック片１４がガラス装置１１の取り付けの邪魔にならないように回転操作され、ガラス装置１１のガラス１５が窓７を覆うように、ガラス装置１１が前扉５の後側に配置され、ガラス側取付部２２が扉側取付部１０の支柱１３の横に配置される。そして、ロック片１４が回転操作されガラス側取付部２２に係合し、ガラス装置１１が前扉５に取り付けられて窓７を塞ぐ。
【００１８】
上記のようにガラス装置１１が前扉５に取り付けられ、前枠３には遊技盤３０が着脱可能に取り付けられ、前枠３が閉じられて外枠２に開閉不能に支持され、前扉５が閉じられて前枠３に開閉不能に支持されると、遊技盤３０の前面におけるガイドレール３１で囲まれた遊技領域３２が遊技機枠１の前方から窓７およびガラス板１５；１６を通して視認可能になる。尚、遊技領域３２における遊技盤３０の前面には、発射通路３３、一般入賞部品３４、始動入賞部品３５、可変入賞部品３６、遊技釘３７、演出表示部品３８、アウト口３９等が設けられる。このように遊技盤３０を遊技機枠１に収容しかつ前枠３及び前扉５の閉じられたパチンコ遊技機の正面図は図３に示すような造形になり、演出装置１９が前扉５の窓７を囲む部分で覆われていて遊技機枠１を前側から見た場合に見えなくなっている。
【００１９】
演出装置１９の個数は２個に限定されるものではなく、単数でも３個以上でもよい。又、演出装置１９を設ける位置は上方に限定されるものではなく、左右又は下方の何れでもよく、四方向でもよく、フレーム１７の周辺であればよい。又、表示部材２０を無色又は有色な透明樹脂で構成し、その透明樹脂からなる表示部材２０の表面に文字又は記号又は絵柄等を絵の具又は塗料で表示したり、上記透明樹脂からなる表示部材２０の一部を絵の具又は塗料で被覆し残部を透明にしたりすることにより、遊技釘３７や遊技領域３２を流下する遊技球が見やすくすることができる。又、表示部材２０にＬＥＤ又はＥＬ又はＬＣＤ等による文字又は記号の表示又は電飾を取り付けることもできる。
【００２０】
図３を参照し、実施の形態１に係るパチンコ遊技機の動作について説明する。図外の電源スイッチが投入され、図外の制御装置が電力供給によって起動し、演出装置１９の表示部材２０が点線で示すように窓７から見えない位置に停止している。そして、遊技者が球受皿８にパチンコ球と呼ばれる遊技球を入れ、遊技者が発射操作機構９のハンドルを右回りに操作すると、球発射機構６が発射操作機構９の操作量に応じた発射力で駆動し、球発射機構６が球受皿８から遊技機枠１の内部に取り込まれた遊技球を１個ずつ発射し、この発射された遊技球が発射通路３３に導かれて遊技領域３２の上部に到達する。
【００２１】
遊技領域３２の上部に到達した遊技球は、遊技領域３２を流下する過程において、一般入賞部品３４、始動入賞部品３５、可変入賞部品３６、遊技釘３７等に衝突して、流れる方向を変えながら、一般入賞部品３４や始動入賞部品３５のいずれか１つに入って遊技盤３０の後側に排出される。一般入賞部品３４や始動入賞部品３５に入らないで、遊技領域３２の最下部に到達した遊技球は、アウト口３９から遊技盤３０の後側に排出される。一般入賞部品３４や始動入賞部品３５のいずれか１つに遊技球が１個入賞するごとに、図外の球払出機構が遊技球と同じ種類の球を賞球として払い出し、その払い出された賞球が球受皿８に排出されて貯蔵される。
【００２２】
又、遊技領域３２を流下する遊技球が始動入賞部品３５に入ると、図外の球検出器が始動入賞部品３５に入った遊技球を検出した信号を図外の制御装置に出力し、その制御装置がコンピュータの処理による当たり外れの抽選処理を行う。そして、当たり外れの抽選処理の結果、当たりが抽選されると、図外の制御装置が可変入賞部品３６の入賞口を当該制御装置がコンピュータにプログラムされた開閉情報に基づいて開閉するように可変入賞部品３６を制御する。又、当たり外れの抽選処理の結果により、図外の制御装置が当該当たり外れの抽選処理の結果を遊技者に予告したり告知したりするために演出装置１９を制御する。
【００２３】
具体的には、図外の制御装置が駆動源２１を制御し、駆動源２１が表示部材２０を図３に点線で示す位置と図３に仮想線で示す位置とに移動する。つまり、表示部材２０の大きな動きを遊技者に見せることができる。この表示部材２０の図３に点線で示す位置と図３に仮想線で示す位置とへの移動態様の違いにより、例えば、表示部材２０が空間１８（図４参照）に出ている時間の長短や回数の違いにより、演出装置１９が当たり外れの抽選処理の結果を遊技者に予告したり告知したりする。尚、演出装置１９による動きは、当たり外れの抽選処理の結果を遊技者に予告したり告知したりする代わりに、入賞等を演出するための動作であってもよい。又、右側の表示部材２０に右打ちを表現する文字又は記号等の表示を設け、左側の表示部材２０に左打ちを表現する文字又は記号等の表示を設け、当たりの遊技が開始される場合に右側の表示部材２０を空間１８に突出して遊技者に右打ちの遊技を誘導し、当たりの遊技が終了する場合に左側の表示部材２０を空間１８に突出して遊技者に左打ちの遊技を誘導するというように、遊技を誘導するようにしてもよい。又、演出装置１９が内部抽選を備えていないパチンコ遊技機に用いられてもよい。
【００２４】
「実施の形態２」
図５を参照し、実施の形態２に係る演出装置１９を備えたガラス装置１１について説明する。実施の形態２では、演出装置１９が演出表示部品に合わせた造形のものに交換することが可能なようにガラス装置１１に対する着脱可能に取り付けられるサブユニットとして構成される。具体的には、演出装置１９のユニットベース２３がガラス装置１１のフレーム１７に着脱可能に取り付けられようになっている。例えば、ユニットベース２３にはベース側取付部２６が設けられ、ベース側取付部２６には貫通孔２７が設けられる。又、フレーム１７には、フレーム側取付部２８が設けられる。そして、ビスのような固定具２９が貫通孔２７を経由してフレーム側取付部２８に装着されることにより、演出装置１９がフレーム１７に着脱可能に取り付けられる。演出装置１９がフレーム１７に取り付けられた状態において、出力部材２４が一方向への回転と他方向への回転とによる往復回転するのに伴い、表示部材２０が出入口２５を経由してフレーム１７よりも外側と空間１８とに出入り可能になる。つまり、ユニットベース２３には表示部材２０を駆動源２１で出入口２５を経由してフレーム１７よりも外側と空間１８とに出入り可能に作動する演出装置１９が着脱可能に設けられた構成になっている。よって、演出装置１９を演出表示部品に合わせた造形のものに交換することができる。
【００２５】
演出装置１９をフレーム１７に着脱可能に取り付ける構造は、貫通孔２７を有するベース側取付部２６をビスのような固着具２９でフレーム側取付部２８に取り付ける構造に限定されるものはなく、ベース側取付部２６に相当するベース側取付部をフレーム側取付部２８に相当するフレーム側取付部に嵌め込み式で着脱可能に取り付けることが可能な構造でもよい。換言するならば、演出装置１９がガラス装置１１に対する着脱可能に取り付けられるサブユニットとして構成されていればよい。尚、駆動源２１に電力を供給する図外の駆動回路がユニットベース２３に取り付けられれば、サブユニットとして構成された演出装置１９を交換することにより上記図外の駆動回路も交換することができる。
【符号の説明】
【００２６】
１は遊技機枠、２は外枠、３は前枠、４はヒンジ、５は前扉、６は球発射機構、７は窓、８は球受皿、９は発射操作機構、１０は扉側取付部、１１はガラス装置、１２は欠番、１３は支柱、１４はロック片、１５；１６はガラス板、１７はフレーム、１８は空間、１９は演出装置、２０は表示部材、２１は駆動源、２２はガラス側取付部、２３はユニットベース、２４は出力部材、２５は出入口、２６はベース側取付部、２７は貫通孔、２８はフレーム側取付部、２９は固定具、３０は遊技盤、３１はガイドレール、３２は遊技領域、３３は発射通路、３４は一般入賞部品、３５は始動入賞部品、３６は可変入賞部品、３７は遊技釘、３８は演出表示部品、３９はアウト口。
【図１】
2013150706.tif 000003
【図２】
2013150706.tif 000004
【図３】
2013150706.tif 000005
【図４】
2013150706.tif 000006
【図５】
2013150706.tif 000007